(57)【要約】【課題】リール本体が寸法のバラツキの影響を受けることなく強固な一体構造を形成し、内部に収容する歯車の噛合い性能、耐久性の低下を確実に防止することのできる魚釣用リールを提供すること。【解決手段】リール本体１２の左側枠１４ａと左側板１６ａとの間に、スプール２０を巻き取り回転する巻取り駆動機構２２を収容するギヤボックスＧを形成し、この巻取り駆動機構２２のドライブギヤ２２ａの外周部を、ギヤボックスＧの周壁が径方向外方に膨出する膨出部４４に収容し、この膨出部４４を含む膨出側部位で左側枠１４ａが左側板１６ａに臨む第１の合わせ部Ｔ１と、膨出部４２の径方向反対側で左側枠１４ａが左側板１６ａに臨む第２の合わせ部Ｔ２とを、軸方向に沿って段差状に配置し、第１の合わせ部Ｔ１と第２の合わせ部Ｔ２との一方で左側枠１４ａと左側板１６ａとを複数のネジ４６により一体に締結固定した魚釣用リール１０。【選択図】      図３
2010051283.tif 000002
【特許請求の範囲】
【請求項１】
フレームの側枠に外側板を装着しかつ釣糸を巻回するスプールを回転自在に支持するリール本体を備え、このリール本体の一方の側枠と外側板との間に、スプールを巻き取り回転する巻取り駆動機構を収容するギヤボックスを形成し、この巻取り駆動機構のドライブギヤの外周部を、前記ギヤボックスの周壁が径方向外方に膨出する膨出部に収容し、この膨出部を含む膨出側部位で側枠が外側板に臨む第１の合わせ部と、膨出部の径方向反対側の反膨出側部位で側枠が外側板に臨む第２の合わせ部とを、スプールの軸方向に沿って段差状に配置した魚釣用リールであって、
前記第１の合わせ部と第２の合わせ部との一方で、側枠と外側板とを複数のネジにより一体に締結固定したことを特徴とする魚釣用リール。
【請求項２】
前記側枠を円形状に形成し、この側枠側で開口する前記膨出部の開口部を、この側枠に固定した閉塞プレートで閉塞した請求項１に記載の魚釣用リール。
【発明の詳細な説明】
【技術分野】
【０００１】
本発明は、魚釣用リールに関し、特に、リール本体の側枠間に回転自在に支持したスプールを、リール本体の一側に設けたハンドルの回転操作で巻取り回転可能とした両軸受型の魚釣用リールに関する。
【背景技術】
【０００２】
一般に、両軸受型の魚釣用リールには、左右の側枠を支柱で連結したフレーム（枠体）と、この側枠に装着される外側板とで形成したリール本体を備え、これらの側枠と外側板とで形成される左右の円筒状の部位の間に、釣糸を巻回するスプールを回転自在に支持している。このような魚釣用リールは、キャスティング操作や釣糸の巻取り操作性の向上を図るために、リール本体のコンパクト化が要請されると共に、回転伝達効率を向上させるために、ドライブギヤの大型化が要請されている。このために、リール本体の巻取り駆動機構を収納する側を、円筒状構造に形成することに代え、周壁部一部を径方向外方に突出させ、この突出部に、大径のドライブギヤを収納する異形構造に形成することが知られている。
【０００３】
このように、円筒状構造の一部を突出させて異形構造としたリール本体は、突出部が他の部分に対して不連続な外面形状を形成するため、全周にわたる周壁部を均等な厚さに形成することは困難であり、側枠と外側板との合わせ部を高精度で形成した一の面で接合させることも、極めて困難である。また、側枠および外側板の肉厚に、局部的に薄くなったり、厚くなったりする部分が存在する場合には、リール本体を軽量化し、その強度を確保するためには不都合である。
【０００４】
このため、突出部を形成する部分における側枠と外側板との合わせ部を、他の部分における合わせ部に対して、スプールの軸方向に沿って変位させ、これらの２箇所の合わせ部を段差状に形成し、これらの合わせ部の双方において、それぞれネジで締結して固定した両軸受リールが提案されている（例えば特許文献１参照）。
【特許文献１】特開２００１−１４５４４２
【発明の開示】
【発明が解決しようとする課題】
【０００５】
しかし、２つの部材を２つの合わせ部で固定するためには、それぞれの合わせ部で当接する１つの部材当たり２つの当接面を段差状に形成することが必要であり、２つの部材のそれぞれの当接面間の寸法のバラツキをなくし、２つの部材の互いに対向する各対の段差状の当接面間に隙間が全くない状態で当接させることは、極めて困難である。
【０００６】
このため、段差状に形成した２つの合わせ部のそれぞれをネジで固定する場合には、一方の合わせ部に形成される隙間の影響により、外側板の傾き、撓み等が生じ、内部に収容する歯車の噛合い性能、耐久性が低下することになる。
【０００７】
本発明は、このような事情に基づいてなされたもので、巻取り駆動機構のドライブギヤを収容する部位を径方向外方に突出させたリール本体が、寸法のバラツキの影響を受けることなく強固な一体構造を形成し、内部に収容する歯車の噛合い性能、耐久性の低下を確実に防止することのできる魚釣用リールを提供することを目的とする。
【課題を解決するための手段】
【０００８】
上記目的を達成するため、本発明によると、フレームの側枠に外側板を装着しかつ釣糸を巻回するスプールを回転自在に支持するリール本体を備え、このリール本体の一方の側枠と外側板との間に、スプールを巻き取り回転する巻取り駆動機構を収容するギヤボックスを形成し、この巻取り駆動機構のドライブギヤの外周部を、前記ギヤボックスの周壁が径方向外方に膨出する膨出部に収容し、この膨出部を含む膨出側部位で側枠が外側板に臨む第１の合わせ部と、膨出部の径方向反対側の反膨出側部位で側枠が外側板に臨む第２の合わせ部とを、スプールの軸方向に沿って段差状に配置した魚釣用リールであって、前記第１の合わせ部と第２の合わせ部との一方で、側枠と外側板とを複数のネジにより一体に締結固定した魚釣用リールが提供される。
【０００９】
前記側枠を円形状に形成し、この側枠側で開口する前記膨出部の開口部を、この側枠に固定した閉塞プレートで閉塞してもよい。
【発明の効果】
【００１０】
この魚釣用リールによると、側枠と外側板とで形成する巻取り駆動機構のギヤボックスの外周部にドライブギヤの外周部を収容する膨出部を形成することにより、コンパクトでありながら大径のドライブギヤを収容することができ、更に、２つの合わせ部の一方で側枠と外側板とを複数のネジにより一体に締結固定することにより、寸法のバラツキの影響を受けることなくリール本体を強固な一体構造に形成し、内部に収容する歯車の噛合い性能、耐久性の低下を確実に防止することのできる魚釣用リールが提供される。
【００１１】
側枠を円形状に形成し、この側枠側で開口する前記膨出部の開口部を、この側枠に固定した閉塞プレートで閉塞する場合には、側枠を極めて高精度に形成することができる。
【発明を実施するための最良の形態】
【００１２】
図１から図４は、本発明の好ましい実施形態による魚釣用リール１０を示す。
【００１３】
この魚釣用リール１０のリール本体１２は、支柱１３等で一体化される左右一対の側枠１４ａ，１４ｂで形成されるフレーム（枠体）１４を有し、この側枠１４ａ，１４ｂのそれぞれの外側に、外側板１６ａ，１６ｂを取付けて、ハウジングとして形成され、取付脚部１８を介して釣竿に固定される。右側板１６ｂは円形又は円筒状に形成してあり、左側板１６ａは、図２に示すように、円筒状部の一部を径方向外方に膨出させた異形形状に形成してある。なお、本明細書中で、左右は、図１の紙面における左右をいう。
【００１４】
釣糸が巻回されるスプール２０は、左右の外側板１６ａ，１６ｂ間に回転自在に支持され、このスプール２０を回転駆動する巻取り駆動機構２２が、左側板１６ａと左側枠１４ａで区画されるギヤボックスＧの内部空間内に収容される。このギヤボックスＧの内部空間内には、この巻取り駆動部２２の他にも、巻取り駆動機構２２に連動回転して側枠１４ａ，１４ｂ間に延びる図示しないガイド軸で案内されつつ筒体２６上でラインガイド２６ａを左右に往復動し、スプール２０上に釣糸を均等に巻回するレベルワインド機構や、ドラグ機構等の各種部材が収容される。
【００１５】
本実施形態のスプール２０は、このリール本体１２の側枠１４ａ，１４ｂを貫通するスプール軸２０ａで支えられており、このスプール軸２０ａは、両端部が、例えばボール軸受３０ａ，３０ｂを介してリール本体１２に回転自在に支持され、このスプール２０と共に回転する。このスプール軸２０ａの一端側から左側枠１４ａを通して突出する端部は、このスプール軸２０ａと一体で同軸状に配置されるピニオン軸３２ａとして形成してあり、このピニオン軸３２ａ上にハンドル３４で回転駆動されるピニオン３２が移動可能に支持されている。
【００１６】
このピニオン３２は、ピニオン軸３２ａを挿通する筒状構造を有し、左側枠１４ａおよび左側板１６ａで支えられた軸受（図示しない）により、リール本体１２に対して回転可能かつ軸方向に移動可能に支持されている。図示しないクラッチレバーを介してクラッチ機構をＯＮ／ＯＦＦ操作することにより、ピニオン３２は、スプール軸２０ａに嵌合してスプール軸２０ａと一体的に回転する係合位置と、スプール軸２０ａとの係合状態が解除された非係合位置との間を、ピニオン軸３２ａに沿って移動することができる。
【００１７】
このピニオン３２の移動は、ピニオン３２の周溝３２ｂに係合するヨーク３６を、クラッチ機構のＯＮ／ＯＦＦ操作に連動させて、ピニオン軸３２ａに沿って移動することで行うことができ、スプール２０が自由に回転できるクラッチＯＦＦの状態で、ハンドル３４を回転すると、クラッチＯＮの状態に戻り、釣糸をスプール２０に巻き取ることができる。なお、本実施形態では、左側板１６ａに配置した調節ねじ１７を介してピニオン軸３２ａを押圧し、スプール軸２０ａに作用する摩擦力を調整することができる。
【００１８】
更に、ギヤボックスＧ内には、一端に締付けナット３３でハンドル３４を取付けたハンドル軸３４ａがピニオン軸３２ａと平行に配置されており、このハンド３４を回転することにより、巻取り駆動機構２２を介してスプール２０が回転駆動される。締付ナット３３は、小ネジ等でハンドル３４に固定される回り止め３３ａにより、回り止めすることが好ましい。
【００１９】
このハンドル軸３４ａは、左側枠１４ａおよび左側板１６ａにそれぞれ軸受３５（左側枠１４ａ側のみを示す）で回転可能に支持されている。このハンドル軸３４ａをハンドル３４側で支える軸受は、左側板１６ａの略円筒状に突出する突出部３８内に設けてあり、この突出部３８内には、ハンドル軸３４ａの釣糸巻回方向への回転を許容し、逆方向の回転を阻止する一方向クラッチが配置されている。
【００２０】
なお、図４に示すように、ハンドル軸３４ａを支える軸受３５は、抜け止めプレート３５ａにより左側枠１４ａ内に保持し、ギヤボックスＧ内における種々の部材の組み立ておよび保守を容易にしてある。このような抜け止めプレート３５ａを、他の部材との干渉を避け、容易かつ迅速に取付可能とするため、左側枠１４ａに、抜け止めプレート３５ａの外形形状の少なくとも一部に係合する係止部１５を形成し、取付用の小ネジ３５ｂと共に回転するのを防止することが好ましい。本実施形態では、この係止部１５は抜け止めプレート３５ａの少なくとも一部を収容する凹部の側面で形成してあり、小ネジ３５ｂを左側枠１４ａに締付けたときに、回り止めプレート３５ａの縁部を係止する。２つの小ネジ３５ｂで固定する場合には、それぞれの小ネジ３５ｂの締付け方向で、共回りを阻止することが好ましい。
【００２１】
更に、ハンドル軸３４ａには、ドラグ機構と共に、巻取り駆動機構２２の一部を形成するドライブギヤ２２ａを回転可能に装着してあり、ハンドル軸３４ａでスタードラグ４０を回転することにより、ハンドル軸３４ａに対するドライブギヤ２２ａの摩擦結合力を変え、所望のドラグ力に調整することができる。これにより、ハンドル３４の回転操作による駆動力は、ドラグ機構を介してドライブギヤ２２ａに伝達され、このドライブギヤ２２ａからピニオンギヤ３２とスプール軸２０ａとを介してスプール２０に伝達される。魚が掛かったときに、釣糸放出方向にスプール２０を回転する力がドラグ力を超えると、ドライブギヤ２２ａがドラグ力に抗して回転し、スプール２０が釣糸繰出し方向に回転し、糸切れを防止する。
【００２２】
この魚釣用リール１０は、キャスティング操作や釣糸の巻取り操作性の向上を図るために、リール本体１２の外径をコンパクト化し、回転伝達効率を向上させるために、ドライブギヤ２２ａを大型化してある。
【００２３】
このため、ギヤボックスＧを形成する左側枠１４ａと左側板１６ａとの外周部は、スプール軸２０ａを囲む円筒状部４２に対して、ドライブギヤ２２ａを囲む部位を径方向外方に膨出させた異形の周壁かなる膨出部４４として形成し、この膨出部４４内にドライブギヤ２２ａの外周部を収容してある。
【００２４】
本実施形態では、円筒状部４２を左側板１６ａと一体の周壁４２ａで形成し、膨出部４４を左側枠１４ａと一体の周壁４４ａで形成してある。また、左側板１６ａには、膨出部４４に対応する周縁リブ４４ｂを形成し、左側枠１４ａには、円筒状部４２に対応する周縁リブ４２ｂを形成してある。左側板１６ａの周縁リブ４４ｂと周壁４２ａとは、左側枠１４ａ側の端面を段差状に形成し、左側枠１４ａの周壁４４ａと周縁リブ４２ｂとは、左側板１６ａ側に段差状の端面を形成する。これらの周壁４２ａ，４４ａの端面および周縁リブ４２ｂ，４４ｂの端面は、スプール軸２０ａに対して垂直な面内に配置することが好ましい。
【００２５】
このように、端面が段差状に形成される左側枠１４ａと左側板１６ａとの２つの部材間には、組立てたときに、膨出部４４を含む膨出側部位で、左側枠１４ａの周壁４４ａが左側板１６ａの周縁リブ４４ｂに臨む第１の合わせ部Ｔ１が形成され、更に、円筒状部側すなわち反膨出側部位で第２の合わせ部Ｔ２が形成される。具体的には、左側板１６ａの周縁リブ４４ｂの端面と左側枠１４ａの周壁４４ａの端面とを含む部位で第１の合わせ部Ｔ１が形成される。また、第２の合わせ部Ｔ２は、左側枠１４ａの周縁リブ４２ｂの端面と左側板１６ａの周壁４２ａの端面とで形成される。これらの第１および第２の合わせ部Ｔ１，Ｔ２は、スプール軸２０ａの軸方向に沿って段差状に形成される。本実施形態では、図４に示すように、第１の合わせ部Ｔ１よりも第２のあわせ部Ｔ２をより広い角度範囲にわたって形成してある。
【００２６】
このような段差状の端面配置による第１および第２の合わせ部Ｔ１，Ｔ２を形成する左側枠１４ａと左側板１６ａは、第２の合わせ部Ｔ２で、本実施形態では３本である複数のネジ４６で一体に締結固定してある。このため、図３に示すように、左側板１６ａの円筒状部４２を形成する周壁４２ａに沿って、ネジ４６を挿通する３つの挿通孔４６ａ（１つのみを示す）を形成してある。また、図４に示すように、左側枠１４ａの円筒状部を形成する周縁リブ４２ｂに沿って、ネジ４６が螺合する３つのネジ孔４８を形成してある。膨出部４４には、このような挿通孔やネジ孔は設けてない。
【００２７】
このように形成された魚釣用リール１０は、ギヤボックスＧ内に、巻取り機構２２、ドラグ機構、レベルワインド機構等の種々の部材を組上げ、ピニオン軸３２ａおよびハンドル軸３４ａの位置をそれぞれの軸受部に整合させつつ、左側板１６ａを左側枠１４ａに装着する。
【００２８】
この後、それぞれのネジ４６を左側板１６ａの挿通孔４６ａに挿通し、左側枠１４ａのネジ孔４８に締付け、固定する。反膨出側部位では、円筒状部４２を形成する周壁４２ａの端面と周部リブ４２ｂの端面とが密に当接して締付固定される。これにより、左側板１６ａが左側枠１４ａに対して高精度に位置決めされ、スプール軸２０ａとこれを支える軸受３０ａ、および、ハンドル軸３４ａとこれを支える軸受３５の高精度の同心度等を確保し、ギヤボックスＧ内に配置する種々の部材を正確に位置決めすることができる。
【００２９】
このような左側枠１４ａに対する左側板１６ａの高精度の位置決め固定は、一方の合わせ部Ｔ２側にネジ４６による締付力を集約して締付固定の基準面とすることにより、他方の合わせ部Ｔ１側の公差、製造誤差等の影響による精度低下（傾き、撓み等の変形）を防止できる。
【００３０】
このように形成した魚釣用リール１０は、左側枠１４ａと左側板１６ａとで形成する巻取り駆動機構２２のギヤボックスＧの外周部にドライブギヤ２２ａの外周部を収容する膨出部を形成することにより、コンパクトでありながら大径のドライブギヤ２２ａを収容することができ、更に、第１および第２の合わせ部Ｔ１，Ｔ２のうち、円筒状部４２に形成される一方の第２の合わせ部Ｔ２側を締付固定する基準面として左側枠１４ａと左側板１６ａの端面とを密に複数のネジ４６により一体に締結固定することにより、他方の第１の合わせ部Ｔ１側の当接面における寸法のバラツキの影響を受けることなくリール本体１２を強固な一体構造に形成し、内部に収容する歯車の噛合い性能、耐久性の低下を確実に防止することのできる魚釣用リール１０を形成することができる。
【００３１】
図５および図６は、他の実施形態による魚釣用リール１０を示す。なお、本実施形態も基本的には上述の実施形態と同様であるため、同様な部位には同様な符号を付し、その詳細な説明を省略する。た実施形態を示す。
【００３２】
本実施形態では、膨出部４４の周壁４４ａを左側板１６ａに形成してあり、反膨出側部位で、円筒状部４２は上述と同様に、左側板１６ａに形成した円筒状の周壁４２ａと左側枠１４ａに形成した周縁リブ４２との端面間で第２の合わせ部Ｔ２が形成される。また、第１の合わせ部Ｔ１は、左側板１６ａに形成した膨出部の周壁４４ａと左側枠１４ａに形成した周縁リブ４４ｂとの端面間で形成される。この左側枠１４ａの周縁リブ４４ｂは、円筒状部４２に隣接した部位にのみ、すなわち膨出部４４の両端部にのみ形成してあり、左側枠１４ａの外形は、側面視（スプール軸の方向）で円形状に形成される。
【００３３】
左側枠１４ａが円形状であるため、膨出部４４を形成する左側板１６ａの周壁４４ａは、左側枠１４ａ側に開口する開口部が形成される。この開口部は、左側枠１４ａの周縁リブ４４ｂ，４４ｂの内端（膨出部４４側の端部）間に配置した閉塞プレート５０で閉塞してある。この閉塞プレート５０は、例えば３本のネジ５２で左側枠１４ａに固定してあり、その外周縁部は周壁４４ａの内周面に当接し、又は、極めて僅かな間隙を介して対向配置することが好ましい。
【００３４】
この閉塞プレート５０は、ねじ５２で左側枠１４ａに固定したときに、左側板１６ａ側の面が左側枠１４ａの周縁リブ４４ｂの端面と同一面状に配置されることが好ましい。このため、膨出部を形成する左側板１６ａの周壁４４ａは、周縁リブ４４ｂに対応する部位から径方向外方に膨出を開始し、少なくとも周壁４４ａの内周が周縁リブ４４ｂの内端と整合する状態に形成されることが好ましい。
【００３５】
このように、左側枠１４ａを側面視で円形状に形成し、周壁４４ａが形成する膨出部４４の開口部を閉塞プレート５０で閉塞することにより、この左側枠１４ａに異形形状の膨出部を形成する必要がなく、左側枠１４ａを極めて高精度に形成することができる。
【００３６】
なお、上述のそれぞれの実施形態では、膨出部４４が、ドライブギヤ２２ａの周部を収容する大径の円弧状凸部と共に、これよりも小径の円弧状凸部をレベルワインド機構の筒体２６の前方に配置した非円形状の異形形状に形成してあるが、膨出部４４も円筒状部４２の径と等しい円筒状又は径の異なる円筒状に形成してもよいことは明らかである。
【００３７】
また、ギヤボックスＧを左側枠１４ａと左側板１６ａとで形成した実施形態を例に挙げて説明してあるが、このようなギヤボックスＧを右側枠１４ｂと右側板１６ｂとで形成した場合も同様である。
【図面の簡単な説明】
【００３８】
【図１】本発明の好ましい実施形態による魚釣用リールを示す部分断面図。
【図２】図１に示す魚釣用リールをハンドル側から見た概略的な側面。
【図３】左側枠から左側板を分離した状態の説明図。
【図４】リール本体の一部を断面で示す説明図。
【図５】他の実施形態による魚釣用リールの図４と同様な説明図。
【図６】組立てた状態の図５の魚釣用リールの説明図。
【符号の説明】
【００３９】
１０…魚釣用リール、１２…リール本体、１４ａ，１４ｂ…側枠、１６ａ，１６ｂ…側板、２０…スプール、２２…巻取り駆動機構、２２ａ…ドライブギヤ、４２…円筒状部（反膨出部）、４４…膨出部、４６…ネジ、Ｇ…ギヤボックス、Ｔ１…第１の合わせ部、Ｔ２…第３の合わせ部。
【図１】
2010051283.tif 000003
【図２】
2010051283.tif 000004
【図３】
2010051283.tif 000005
【図４】
2010051283.tif 000006
【図５】
2010051283.tif 000007
【図６】
2010051283.tif 000008